(57)【要約】【課題】  履物内面全体に殺菌、脱臭効果を付与する。【解決手段】  アッパー３の内面に、光触媒を含有した繊維に銀等の抗菌性を有する金属をコーティングしてなる殺菌脱臭シート５を通気性を有する接着剤６によって装着する。中底２の上面にも、殺菌脱臭シート５を装着して、足全体を包み込むように殺菌脱臭シート５を設ける。アッパー３の飾り孔４は、通気性を有し、殺菌脱臭シート５から飾り孔４を通じて履物内部の換気を行い、臭気成分を排出する。【選択図】  図１
2005348825.tif 000002
【特許請求の範囲】
【請求項１】
アッパーの内面および中底の上面に、光触媒を含有した繊維に金属イオンをコーティングした殺菌消臭シートが装着されたことを特徴とする履物。
【請求項２】
アッパーの内面および中底の上面に、光触媒を含有した繊維に金属イオンをコーティングした殺菌消臭シートが設けられ、前記アッパーに通気孔が形成され、前記殺菌消臭シートが、通気性を有する接着剤によって前記アッパーに接着されたことを特徴とする履物。
【請求項３】
アッパーの内面および中底の上面に、金属イオンおよび光触媒を含有した殺菌消臭シートが設けられ、前記アッパーに通気孔が形成され、前記殺菌消臭シートが、通気性を有する接着剤によって前記アッパーに前記通気孔を覆うように接着され、前記殺菌脱臭シートは、繊維表面に光触媒が担持され、該光触媒上に金属イオンが付着された繊維から形成され、通気性を有することを特徴とする履物。
【発明の詳細な説明】
【技術分野】
【０００１】
本発明は、殺菌、消臭効果を有する履物に関する。
【背景技術】
【０００２】
革靴、ブーツ等の履物では、通気性が乏しく、足からの汗によって内部が蒸れて、細菌やかびが繁殖しやすい。これが原因で悪臭が発生したり、足が不衛生となる。そこで、履物内を殺菌できるように、特許文献１では、銅繊維あるいは銀繊維からなるシートを履物の内面に固定したことが記載されている。特許文献２では、ポリエステルにニッケル等の金属をコーティングした金属化繊維を布状にして、内側面および中底に貼り付けたことが記載されている。銅、銀等の金属の殺菌効果によって、履物内を清潔な状態に保つことができる。
【特許文献１】特開平９−３０８５０６号公報
【特許文献２】実開昭６３−９９１０号公報
【発明の開示】
【発明が解決しようとする課題】
【０００３】
上記のように、繊維に含有された金属の殺菌効果によって履物内を殺菌することができる。ところで、履物内には、細菌だけでなく、細菌や汗によって発生した臭気成分が存在し、悪臭の原因となる。しかしながら、銅、銀等の金属自体には、臭気成分を分解する機能がないので、消臭まではできない。
【０００４】
そこで、本発明は、上記に鑑み、殺菌効果だけでなく脱臭効果も得られる履物の提供を目的とする。
【課題を解決するための手段】
【０００５】
本発明は、アッパーの内面および中底の上面に、光触媒を含有した繊維に金属イオンをコーティングした殺菌消臭シートが装着されたものである。履物を履いたときに、殺菌脱臭シートが足に接触するように設けられることにより、殺菌脱臭シートによって足全体が包み込まれる。
【０００６】
殺菌脱臭シートは、繊維表面に酸化チタン等の光触媒を担持させて、凹凸を形成した繊維表面に銀、銅、ニッケル等の抗菌性を有する金属イオンを付着させてなる。金属イオンは、通常は酸化物粒子あるいは金属粒子といった形で繊維表面上に存在している。履物を履いたとき、湿気等によって湿潤状態になったときに金属イオンとして存在する。このとき、金属イオンの作用により、細菌やかび等が不活化され、繁殖が抑制されて、殺菌効果が得られる。また、臭気成分の発生の原因である細菌等が死滅するので、消臭効果も得られる。
【０００７】
履いているときは、上記のように金属イオンが効果を発揮する。履いていないときには、太陽光や蛍光灯の下に履物を曝すことにより、光触媒が履物内部に存在する臭気成分を分解する。履物内部が無臭化され、消臭効果が得られる。
【０００８】
そして、アッパーに通気孔が形成され、殺菌消臭シートが、通気性を有する接着剤によってアッパーに接着される。中底の殺菌消臭シート上に通気性を有する中敷が設けられる。中敷は、殺菌脱臭シートが足裏と直接接触するのを防ぐ。そのため、殺菌脱臭シートの摩耗、擦り切れを防いで、長期間に使用に耐えれるようにできる。
【０００９】
殺菌脱臭シートは、繊維製であるので、通気性を有する。通気性を有する接着剤を使用することにより、殺菌脱臭シート、通気孔を通じて履物内部の臭気成分を排出できる。これによって、履物内部の換気を行え、臭いがこもらず、消臭効果が得られる。また、中敷を殺菌脱臭シート上に通気性を有する接着剤を用いて装着すれば、殺菌脱臭シートが細菌や臭気成分に接触可能となり、その殺菌、脱臭効果を発揮できる。
【発明の効果】
【００１０】
本発明によると、金属イオンによる殺菌効果と光触媒による脱臭効果によって、履物内部を常に清潔な状態に維持でき、衛生的な履物を提供することができる。
【発明を実施するための最良の形態】
【００１１】
本実施形態の履物は、図１に示すように、短靴である。この短靴は、外底１、中底２、アッパー３から構成された一般的な構造のものである。アッパー３の甲部には、飾り孔４が形成されている。飾り孔４は、アッパー３を貫通しており、通気性を有する。アッパー３の内面側に、飾り孔４を覆うように多孔質フィルムを装着しておく。これにより、飾り孔４は、空気や湿気を通すが水を通さない通気孔となる。なお、飾り孔４は、アッパー３の側面にも形成してよい。
【００１２】
アッパー３の内面および中底２の上面には、殺菌消臭シート５が設けられている。殺菌消臭シート５は、光触媒および銀イオンを含有した繊維からなる。具体的には、光触媒を含有した繊維に金属イオン、特に銀イオンをコーティングした糸を撚り合わせて、織布、編布あるいは不織布にしたものであり、通気性を有する。
【００１３】
光触媒を含有した繊維は、ポリエステル、ポリアミド、ポリウレタン等の合成繊維の表面、あるいは木綿、羊毛等の天然繊維の表面に、酸化チタン等の酸化物半導体からなる光触媒を担持させて製造される。
【００１４】
例えば、合成繊維の場合、ポリエステル、ポリアミド、ポリウレタン等の合成樹脂製フィルムの表面に酸化チタン等の光触媒を接着剤等の公知の結合剤を用いて付着させることにより、光触媒を担持させることができる。このように光触媒を担持したフィルムを細かくスリット状にすると、光触媒を含有した繊維ができる。天然繊維の場合も、光触媒を接着剤等の公知の結合剤を用いて表面に付着させることにより、光触媒を含有した繊維ができる。
【００１５】
また、この繊維に吸着剤を含有させてもよい。吸着剤は、例えば四価金属のリン酸塩、二価金属の水酸化物であったり、シリカゲル、ゼオライトである。
【００１６】
そして、光触媒を含有した繊維に対して、銀、銅、ニッケル等の抗菌性を有する金属を添加して、光触媒および金属イオンを含有した繊維を形成する。すなわち、銀、銅、ニッケル等の金属の微粒子を繊維の表面に接着剤によって付着させることにより、金属粒子がコーティングされる。あるいは、酸化銀、硫化銀等の金属化合物を粒状化して、繊維の表面に接着剤によって付着させてもよい。
【００１７】
このように、光触媒を含有した繊維では、光触媒により繊維表面に微細な凹凸が形成される。この凹凸のある繊維表面に金属を付着させることにより、金属に対する接着強度を高めることができる。したがって、履いているときに足が殺菌脱臭シート５に接触しても、繊維に担持された金属がはがれにくくなり、殺菌、消臭効果を長期間維持できる。また、繊維の表面積が大きくなるので、担持される金属量を多くでき、殺菌、消臭効果を高めることができる。
【００１８】
殺菌消臭シート５は、上記のようにして製造した繊維を糸にして、この糸を織り合わせて所定の形状に形成される。すなわち、皮革、合成樹脂等からなるアッパー３は、足のつま先から甲、かかとまでを包むように形成されており、殺菌消臭シート５は、足と接触するアッパー３の内面の形状に合わせて切断され、所定の形状とされる。したがって、殺菌消臭シート５は、アッパー３の内面を覆い、ライニングとして機能する。
【００１９】
殺菌脱臭シート５の外周縁がアッパー３に縫い付けられるとともに、接着剤６によってアッパー３に貼着されることによって、殺菌脱臭シート５はアッパー３の内面に装着され、履いてるときに殺菌脱臭シート５はずれることがない。この接着剤６には、通気性を有する接着剤が用いられる。通気性を有する接着剤としては、例えば酢酸ビニル系の接着剤がある。この接着剤６を用いることにより、飾り孔４の通気性は損なわれず、アッパー３および殺菌脱臭シート５を通じて履物内部の換気を行える。
【００２０】
アッパー３のかかと部分では、殺菌脱臭シート５を装着せず、通常のライニング７が装着される。なお、かかと部分にも殺菌脱臭シート５を装着して、その上にライニングを装着してもよい。このライニングは、通気性を有するものとする。
【００２１】
中底２の上面に装着される殺菌脱臭シート５は、上記のものと同じ構造であり、中底２の形状に合わせた形状とされる。そして、殺菌脱臭シート５の外周縁が中底２に縫い付けられるとともに、接着剤によって中底２に貼着されることによって、殺菌脱臭シート５は中底２の上面に装着される。この接着剤は、上記と異なり、通気性を有しない接着剤が用いられる。殺菌脱臭シート５のかかと側の上面には、中敷８が装着されている。中敷８としては、通気性を有するものであればよく、この中敷８は、通気性を有する接着剤によって殺菌脱臭シート５の上面に貼り付けられる。
【００２２】
上記構成の履物において、殺菌脱臭シート５は、銀等の金属イオンによる殺菌、抗菌効果を有する。すなわち、足からの汗等の水分の存在によって履物内部が湿気を含んだ湿潤環境になると、繊維中の金属がイオン化して、金属イオンとなって溶出する。金属イオンが履物内部に存在する細菌やかびを死滅させ、繁殖を防止する。さらに、細菌やかび等に起因する臭気成分の発生を抑制する。
【００２３】
また、殺菌脱臭シート５は、光触媒による脱臭、消臭効果を有する。すなわち、履物を脱いだとき、太陽光や蛍光灯の光線照射の下に曝すことによって、履物内部にこもっているアンモニア、硫化水素、酢酸、イソ吉草酸、ホルムアルデヒド等の臭気成分が殺菌消臭シートの光触媒に触れると、分解され、無臭化される。なお、光触媒は、コーティングされた金属粒子や金属化合物の間から露出した状態にある。そのため、光触媒は、臭気成分と接触可能となり、消臭効果を発揮できる。
【００２４】
さらに、殺菌脱臭シート５に吸着剤が含有されていると、履いているときに臭気成分が吸着剤に吸着される。この臭気成分も光触媒によって無臭化される。
【００２５】
履いている最中に、履物内部の空気は、殺菌脱臭シート５、接着剤６からアッパー３の飾り孔４を通じて、外部に排気される。したがって、履物内部から臭気成分が排出され、新鮮な空気が履き口から入ってきて、換気が行われる。これによって、消臭効果が高められる。
【００２６】
なお、本発明は、上記実施形態に限定されるものではなく、本発明の範囲内で上記実施形態に多くの修正および変更を加え得ることは勿論である。上記の履物は短靴であり、主に男性用であるが、パンプス等の女性用の履物、さらにはサンダル、スリッパにも上記のように殺菌脱臭シートを適用してもよい。また、ブーツ、ハーフブーツ等の長靴に適用してもよい。図２に示すように、ブーツの場合、殺菌脱臭シート５は、アッパー３のくるぶし部分よりも下側に装着される。くるぶし部分より上側では、細菌や臭気成分が少ないので、殺菌、脱臭は行わなくても差し支えない。ハーフブーツの場合には、アッパーの内面全体に装着すればよい。
【図面の簡単な説明】
【００２７】
【図１】本発明の殺菌消臭効果を有する短靴の断面図
【図２】内面に殺菌消臭シートを装着したブーツを示す図
【符号の説明】
【００２８】
２    中底
３    アッパー
４    飾り孔
５    殺菌脱臭シート
６    通気性を有する接着剤
８    中敷
【図１】
2005348825.tif 000003
【図２】
2005348825.tif 000004